(57)【要約】【課題】湿度を容易に把握することのできるカーテンを提供する。【解決手段】カーテン１０は、周囲の湿度の変化により可逆的に変色する変色部１１を備えている。変色部１１は、周囲の湿度の変化により状態が変化する感湿物質を含有し、当該感湿物質の状態の変化に基づいて変色するように構成されている。【選択図】図１
2019030590.tif 000002
【特許請求の範囲】
【請求項１】
湿度の変化により可逆的に変色する変色部を備え、
変色部は、湿度の変化により状態が変化する感湿物質を含有し、当該感湿物質の状態の変化に基づいて変色することを特徴とするカーテン。
【請求項２】
前記感湿物質は、塩化コバルト、及び臭化コバルトから選ばれる少なくとも一種であることを特徴とする請求項１に記載のカーテン。
【請求項３】
前記変色部は、湿度に応じて、複数の色に変化するように構成され、
前記変色部の色と湿度との関係を示す色見本部を備えることを特徴とする請求項１又は請求項２に記載のカーテン。
【請求項４】
前記変色部は、変色を生じさせる湿度が異なる部分を有することを特徴とする請求項１〜３のいずれか一項に記載のカーテン。
【請求項５】
前記変色部は、変色を生じさせる湿度が異なる部分を組み合わせることにより所定の模様が構成されていることを特徴とする請求項１〜４のいずれか一項に記載のカーテン。
【発明の詳細な説明】
【技術分野】
【０００１】
本発明は、カーテンに関する。
【背景技術】
【０００２】
近年、住宅の窓等に取り付けて用いられるカーテンに様々な機能を付与する試みが行われている。例えば、特許文献１には、カーテン等に用いられる繊維製品に関して、有機系紫外線吸収剤と、無機系の紫外線吸収剤又は紫外線反射剤とを含有させたポリエステル繊維を用いることにより、紫外線カット性及び採光性を高める技術が開示されている。
【先行技術文献】
【特許文献】
【０００３】
【特許文献１】特開２００６−２９９４３８号公報
【発明の概要】
【発明が解決しようとする課題】
【０００４】
この発明の目的は、湿度の変化を容易に把握することのできるカーテンを提供することにある。
【課題を解決するための手段】
【０００５】
カーテンは、湿度の変化により可逆的に変色する変色部を備え、変色部は、湿度の変化により状態が変化する感湿物質を含有し、当該感湿物質の状態の変化に基づいて変色する。前記感湿物質は、例えば、塩化コバルト、及び臭化コバルトから選ばれる少なくとも一種である。
【０００６】
上記構成によれば、カーテンを見て、変色部における変色の有無を確認することにより、現在の湿度の高低を容易に把握することができる。
前記変色部は、湿度に応じて、複数の色に変化するように構成され、前記変色部の色と湿度との関係を示す色見本部を備えることが好ましい。
【０００７】
上記構成によれば、変色部の色を色見本部と比較することにより、カーテンを見るのみで、変色部の色から現在の湿度を容易に把握することができる。
前記変色部は、変色を生じさせる湿度が異なる部分を有することが好ましい。
【０００８】
上記構成によれば、変色部のいずれの部分が変色しているかを確認することにより、現在の湿度を容易に把握することができる。例えば、最も変色し難い部分が変色している場合には、湿度が非常に高いと判断することができる。
【０００９】
前記変色部は、変色を生じさせる湿度が異なる部分を組み合わせることにより所定の模様が構成されていることが好ましい。
上記構成によれば、湿度の変化に応じて、変色部に表れる模様の柄や色調が様々に変化するようになり、その変化を視覚的に楽しむことができる。
【発明の効果】
【００１０】
本発明によれば、カーテンの状態を見ることにより、湿度の変化を容易に把握することができる。
【図面の簡単な説明】
【００１１】
【図１】実施形態のカーテンの正面図。
【図２】（ａ）〜（ｃ）は、変色部が色変化した状態の実施形態のカーテンの正面図。
【図３】変更例のカーテンの正面図。
【図４】（ａ）〜（ｃ）は、変色部が色変化した状態の変更例のカーテンの正面図。
【発明を実施するための形態】
【００１２】
以下、本発明の一実施形態を説明する。
図１に示すカーテン１０は、住宅等の窓に取り付けて用いられるカーテンであり、湿度の変化により可逆的に変色する変色部１１を備えている。変色部１１は、湿度の変化により状態が変化する感湿物質を含有し、当該感湿物質の状態の変化に基づいて変色するように構成されている。
【００１３】
感湿物質としては、湿度の変化により状態変化して変色する（吸収する光の波長等の光物性が異なる状態に変化する）公知の物質を用いることができる。こうした感湿物質としては、例えば、塩化コバルト、臭化コバルト等のコバルト化合物が挙げられる。また、コバルトを含まない感湿物質としては、例えば、特開２００８−２０３０８１号公報、特開２０１２−２３００４４号公報等に開示される物質が挙げられる。
【００１４】
感湿物質の状態変化に基づく変色のパターンは特に限定されるものではなく、無色から有色への変化や有色から無色への変化であってもよいし、有色から有色への変化であってもよいし、それらの組み合わせであってもよい。また、変色のパターンは、同系色における色の濃淡の変化（例えば、水色→青色）であってもよいし、補色等の系統の異なる色への変化（例えば、白色→赤色や、赤色→青色）であってもよい。また、変色のパターンは、湿度に応じて、段階的に複数の異なる色に変化するものであってもよい（例えば、水色→青色→紺色、白色→赤色→青色）。
【００１５】
変色部１１は、感湿物質を担持させた糸を用いて、所定の模様（絵柄、文字、数字等も含む）を編み込む又は織り込むことにより形成されている。感湿物質を担持させる糸は特に限定されるものではないが、例えば、アクリル樹脂、ポリエステル樹脂、ナイロン樹脂等の合成繊維、グラスファイバー等の無機繊維からなる糸を用いることが好ましい。担持される感湿物質は一種のみであってもよいし、二種以上であってもよい。
【００１６】
感湿物質を糸に担持させる方法としては、例えば、糸を構成する繊維に感湿物質を染着させる方法（染色法）、及び接着剤を用いて感湿物質を糸に接着する方法、紡糸段階で感湿物質を配合する方法が挙げられる。上記染色法としては、例えば、塩化ナトリウム及び塩化コバルトを水に溶かした水溶液に糸を浸漬させた後、乾燥させる方法が挙げられる。上記接着剤としては、例えば、アクリル系樹脂、エポキシ樹脂、ウレタン樹脂等の通気性を有する接着剤を用いることが好ましい。また、感湿物質は、透明な通気性ビーズに内包された状態として糸に担持されてもよい。
【００１７】
本実施形態においては、全体が特定色（例えば、青色）のカーテン１０の一部に変色部１１が設けられている。そして、変色部１１には、変化前の色（低湿度環境である場合の色）が上記特定色と同じ色（例えば、青色）であり、周囲の湿度が上昇するにしたがって、段階的に複数の異なる色に変化する感湿物質が含有されている。
【００１８】
したがって、図１に示すように、周囲の湿度が第１閾値未満である低湿度環境では、変色部１１は、カーテン１０における他の部位（背景色）と同化して見える。そして、周囲の湿度が高くなるにしたがって、図２（ａ）に示す第１変化色（例えば、水色）、図２（ｂ）に示す第２変化色（例えば、薄紫色）、図２（ｃ）に示す第３変化色（例えば、ピンク色）に順に変化する。
【００１９】
具体的には、変色部１１は、周囲の湿度が第１閾値未満である場合には、変化前の色を呈し、周囲の湿度が第１閾値以上第２閾値未満である場合には、第１変化色に変化する。そして、変色部１１は、周囲の湿度が第２閾値以上第３閾値未満である場合には、第２変化色に更に変化し、周囲の湿度が第３閾値以上である場合には、第３変化色に更に変化する。
【００２０】
また、図１に示すように、カーテン１０は、変色部１１の色と湿度との関係を示す色見本部１２を備えている。色見本部１２は、上記第１変化色と同じ色に着色された着色部分１２ａ、第２変化色と同じ色に着色された着色部分１２ｂ、第３変化色と同じ色に着色された着色部分１２ｃを有するとともに、左側から右側に向かって着色部分１２ａ，１２ｂ，１２ｃが順に並べられている。
【００２１】
次に、本実施形態の作用及び効果について説明する。
（１）カーテン１０は、周囲の湿度の変化により可逆的に変色する変色部１１を備えている。変色部１１は、周囲の湿度の変化により状態が変化する感湿物質を含有し、当該感湿物質の状態の変化に基づいて変色するように構成されている。
【００２２】
上記構成によれば、周囲の湿度が所定値（第１閾値）以上にまで上昇すると、変色部１１の色が変化する。そして、周囲の湿度が所定値（第１閾値）未満にまで低下すると、変色部１１は元の色に戻る。そのため、カーテン１０を見て、変色部１１における変色の有無を確認することにより、現在の湿度の高低を容易に把握することができる。
【００２３】
（２）変色部１１は、周囲の湿度に応じて、複数の色に変化するように構成されている。カーテン１０は、変色部１１の色と湿度との関係を示す色見本部１２を備えている。
上記構成によれば、変色部１１の色を色見本部１２と比較することにより、カーテン１０を見るのみで、変色部１１の色から現在の湿度を容易に把握することができる。具体的には、図２（ａ）に示すように、変色部１１の色が、色見本部１２における左側に位置する着色部分１２ａの色に近い色である場合には、湿度がやや高いと判断することができる。図２（ｂ）に示すように、変色部１１の色が、色見本部１２における中央に位置する着色部分１２ｂの色に近い色である場合には、湿度が高いと判断することができる。図２（ｃ）に示すように、変色部１１の色が、色見本部１２における右側に位置する着色部分１２ｃの色に近い色である場合には、湿度が非常に高いと判断することができる。
【００２４】
なお、本実施形態は、次のように変更して具体化することも可能である。
・変色部１１は、感湿物質を担持させた糸を織り込む又は編み込むことにより構成されるものに限定されない。例えば、カーテン１０を構成する生地を染色することや、カーテン１０を構成する生地に対して、感湿物質を含有する塗料等を塗布又は印刷することにより変色部１１を形成してもよい。
【００２５】
・カーテン１０における変色部１１の配置やデザインを変更してもよい。例えば、カーテン１０の全面を変色部１１として、周囲の湿度の変化によってカーテン１０全体の色が変化するように構成してもよい。
【００２６】
・変色部１１における変色後の色は、感湿物質に基づく色と、カーテン１０の素材の色とが組み合わされてなる色であってもよい。これにより、様々な色調を表現することが可能になる。
【００２７】
例えば、感湿物質を含有し、周囲の湿度の上昇によって青色から赤色に変化する経糸と、青色透明の緯糸とからなる織物により変色部１１を形成する。この場合、変色部１１は、湿度の上昇によって、青色（青色＋青色透明）から紫色（赤色＋青色透明）に変化したように見える。
【００２８】
また、変色部１１を、下地となる第１層と、第１層の上に設けられ、周囲の湿度の上昇によって、有色から無色に変化する感湿物質を含有する第２層とを有する構成とする。この場合、変色部１１は、周囲の湿度の上昇によって、第２層が透明になることにより、第１層の色や模様等が透けて見える。
【００２９】
・カーテン１０における色見本部１２の配置やデザインを変更してもよい。例えば、変色部１１の変色前の色と同じ色に着色された着色部分を有していてもよい。また、「高」「中」「低」等の各着色部分に対応する湿度を示す表示部を設けてもよい。また、カーテン１０の品質表示用のタグ等に色見本部１２を設けてもよい。また、色見本部１２に代えて、取扱説明書等のカーテン１０に付属する物品に色見本を設けてもよい。
【００３０】
・変色部１１は、変色を生じさせる湿度域が異なる部分を有するものであってもよい。変色部１１における変色を生じさせる湿度域は、例えば、感湿物質の種類や含有量等を異ならせることにより調整することができる。
【００３１】
例えば、図３に示すように、カーテン１０に対して、変色を生じさせる湿度域がそれぞれ異なる第１変色部１１ａ、第２変色部１１ｂ、及び第３変色部１１ｃを設ける。第１変色部１１ａは、周囲の湿度が第１の閾値以上である場合に変色するように構成されている。第２変色部１１ｂは、周囲の湿度が第１の閾値よりも高い第２の閾値以上である場合に変色するように構成されている。第３変色部１１ｃは、周囲の湿度が第２の閾値よりも高い第３の閾値以上である場合に変色するように構成されている。
【００３２】
この場合には、第１変色部１１ａ、第２変色部１１ｂ、及び第３変色部１１ｃのいずれの変色部が変色しているかを確認することにより、現在の周囲の湿度を容易に把握することができる。具体的には、図４（ａ）に示すように、第１変色部１１ａのみが変色している場合には、湿度がやや高いと判断することができる。図４（ｂ）に示すように、第１変色部１１ａ及び第２変色部１１ｂのみが変色している場合には、湿度が高いと判断することができる。図４（ｃ）に示すように、第１変色部１１ａ、第２変色部１１ｂ、及び第３変色部１１ｃの全てが変色している場合には、湿度が非常に高いと判断することができる。
【００３３】
・変色部１１は、変色を生じさせる湿度が異なる部分を組み合わせることにより所定の模様が構成されるものであってもよい。この場合には、周囲の湿度に応じて、変色部１１に表れる模様の柄や色調が様々に変化するようになり、その変化を視覚的に楽しむことができる。
【００３４】
・カーテン１０の種類は特に限定されるものではなく、レースカーテン、ドレープカーテン等のいずれのカーテンであってもよい。また、カーテン１０は、住宅の窓用のカーテンに限定されるものではなく、車両の窓等のその他の用途に用いられるものであってもよい。
【００３５】
・参考例として記載するものであるが、壁紙等の内装材について、湿度の変化により可逆的に変色する変色部を備え、変色部は、湿度の変化により状態が変化する感湿物質を含有し、当該感湿物質の状態の変化に基づいて変色する、というように構成した場合にも、同様の効果が得られる。
【００３６】
例えば、壁紙に具体化する場合、裏側に配置される裏打ち紙等からなる基材層と、表側に配置される装飾層とを備える壁紙とし、装飾層に対して、感湿物質を含有する塗料等が塗布又は印刷された変色部１１を設ける。また、装飾層が編織物で構成される場合には、編織物を感湿物質により染色することや、編織物を構成する糸として感湿物質を担持させた糸を用いることによって変色部１１を設けることもできる。
【符号の説明】
【００３７】
１０…カーテン、１１…変色部、１１ａ…第１変色部、１１ｂ…第２変色部、１１ｃ…第３変色部、１２…色見本部。
【図１】
2019030590.tif 000003
【図２】
2019030590.tif 000004
【図３】
2019030590.tif 000005
【図４】
2019030590.tif 000006